(57)【特許請求の範囲】
【請求項１】
削岩掘削装置における防音用ケーシングであって、該削岩掘削装置（１）が、キャリア（２）及びそれに取り付けられた移動可能なブーム（３）と、該ブーム（３）の自由端における、クレードル（１２）及び該クレードル（１２）に対して移動可能なフィードビーム（１１）と、さらに、掘削時に発生する騒音を減音するために、該防音用ケーシング（５）が全体をほぼ完全に取り囲むように取り付けられている、該フィードビーム（１１）に係合する掘削具（４）とを具備していて；該防音用ケーシング（５）が、該フィードビーム（１１）に係合するための装置を含んでいて、該フィードビーム（１１）と共に該クレードル（１２）に対して移動可能に配置されていて；該ケーシング（５）の端部における開口部が掘削面に面しており、少なくとも掘削用ロッドがその開口部を貫通して伸長している防音用ケーシングにおいて、該防音用ケーシング（５）は、該掘削具（４）全体及び該フィードビーム（１１）をほぼ完全に取り囲むように配置されるべく意図されていて、該防音用ケーシング（５）の内面が該フィードビーム（１１）及び該掘削具（４）から離間されるよう意図されており、さらに該防音用ケーシング（５）は、該防音用ケーシング（５）及び該クレードル（１２）がお互いに対して移動することを可能とする開口部（１４）を備えることを特徴とする防音用ケーシング。
【請求項２】
該防音用ケーシング（５）が該クレードル（１２）もほぼ完全に取り囲むように設計されているところの、請求項１に記載の防音用ケーシング。
【請求項３】
騒音用カーテン（８）が該開口部（１４）に備えられていて、該騒音用カーテンは該開口部（１４）をほぼシールするところの請求項１又は２に記載の防音用ケーシング。
【請求項４】
該騒音用カーテン（８）がフレキシブルな剛毛又はフレキシブルな帯板で作られているところの、請求項３に記載の防音用ケーシング。
【請求項５】
該防音用ケーシング（５）の内面の少なくとも一部がポリウレタンのようなしゃ音材料の層（５ｂ）でおおわれているところの、請求項１〜４のいずれか一項に記載の防音用ケーシング。
【請求項６】
該防音用ケーシング（５）が、組み重ねられた、外部胴（５ａ）及び内部胴（５ｃ）と、それらの胴の間におけるしゃ音材料の中間層（５ｄ）とを具備しているところの、請求項１〜５のいずれか一項に記載の防音用ケーシング。
【請求項７】
フレキシブル部分（６）が該防音用ケーシング（５）下端部に備えられていて、該フレキシブル部分は掘削時における該防音用ケーシング（５）と掘削面（７）との間の間隙をシールするために備えられているところの、請求項１〜６のいずれか一項に記載の防音用ケーシング。
【請求項８】
該フレキシブル部分（６）がフレキシブルな剛毛又はフレキシブルな帯板で作られているところの、請求項５に記載の防音用ケーシング。
【請求項９】
該防音用ケーシング（５）が、掘削状態を監視及び／又は該掘削具（４）の運転状態を観察するために開閉できる、少なくとも一つの遠隔操作されるハッチ（９，１９）を備えているところの、請求項１〜８のいずれか一項に記載の防音用ケーシング。
【請求項１０】
該防音ケーシング（５）が、掘削状態を監視及び／又は該掘削具（４）の運転状態を観察するために、所望される位置に少なくとも一つの透明部分を備えているところの、請求項１〜９のいずれか一項に記載の防音用ケーシング。
【請求項１１】
削岩掘削装置に関連する装置であって、該削岩掘削装置（１）が、キャリア（２）及びそれに取り付けられた移動可能なブーム（３）と、該ブーム（３）の自由端に配置された、クレードル（１２）及びそのクレードルに対して移動可能なフィードビーム（１１）と、さらに、掘削時に発生する騒音を減音するために、該防音用ケーシング（５）が全体をほぼ完全に取り囲むように取り付けられている、フィードビーム（１１）に係合する掘削具（４）とを具備していて；該ケーシング（５）が、該フィードビーム（１１）に係合されていて、該フィードビーム（１１）と共に該クレードル（１２）に対して移動可能に配置されていて；該ケーシング（５）の端部に備えられた開口部が掘削面に面しており、少なくとも掘削用ロッドがその開口部を貫通して伸長している岩石掘削装置に関連する装置において、該防音用ケーシング（５）は、該掘削具（４）全体及び該フィードビーム（１１）をほぼ完全に取り囲むように配置されていて、該防音用ケーシング（５）の内面が該フィードビーム（１１）及び該掘削具（４）から離間されており、さらに該防音用ケーシング（５）は、該防音用ケーシング（５）及び該クレードル（１２）がお互いに対して移動することを可能とする開口部（１４）を備えることを特徴とする削岩掘削装置に関連する装置。
【請求項１２】
該防音用ケーシング（５）が該クレードル（１２）もほぼ完全に取り囲むように配置されているところの、請求項１１に記載の削岩掘削装置に関連する装置。
【請求項１３】
騒音用カーテン（８）が該開口部（１４）に備えられていて、該騒音用カーテンは該開口部（１４）をシールするところの請求項１１又は１２に記載の削岩掘削装置に関連する装置。
【請求項１４】
該騒音用カーテン（８）がフレキシブルな剛毛又はフレキシブルな帯板で作られているところの、請求項１３に記載の削岩掘削装置に関連する装置。
【請求項１５】
フレキシブル部分（６）が該防音用ケーシング（５）下端部に備えられていて、該フレキシブル部分は掘削時における該防音用ケーシング（５）と掘削面（７）との間の間隙をシールするために備えられているところの、請求項１１〜１４のいずれか一項に記載の削岩掘削装置に関連する装置。
【請求項１６】
該防音用ケーシング（５）が、掘削状態を監視及び／又は該掘削具（４）の運転状態を観察するために開閉できる、少なくとも一つの遠隔操作されるハッチ（９，１９）を備えているところの、請求項１１〜１５のいずれか一項に記載の削岩掘削装置に関連する装置。
【発明の詳細な説明】
【０００１】
本発明の技術分野
本発明は、削岩掘削装置（ｒｏｃｋ  ｄｒｉｌｌｉｎｇ  ｒｉｇ）における防音用ケーシングに関するもので；その削岩掘削装置が、キャリア（ｃａｒｒｉｅｒ）及びそれに取り付けられた移動可能なブーム（ｂｏｏｍ）と、ブームの自由端における、クレードル（ｃｒａｄｌｅ）及びクレードルに対して移動可能なフィードビーム（ｆｅｅｄ  ｂｅａｍ）と、さらに、掘削時に発生する騒音を減音するために、ケーシングが全体をほぼ完全に取り囲むように取り付けられてもよい、フィードビームに係合する掘削具とを具備していて；そのケーシングが、フィードビームに係合するための装置を含んでいて、フィードビームと共にクレードルに対して移動可能に配置されていて；該ケーシングの端部における開口部が掘削面に面しており、少なくとも掘削用ロッド（ｄｒｉｌｌ  ｒｏｄ）がその開口部を貫通して伸長している。
【０００２】
本発明は、また削岩掘削装置に関連する装置に関するもので、その削岩掘削装置が、キャリア及びそれに取り付けられた移動可能なブームと、ブームの自由端に配置された、クレードル及びクレードルに対して移動可能なフィードビームと、さらに、掘削時に発生する騒音を減音するために、ケーシングが全体をほぼ完全に取り囲むように取り付けられてもよい、フィードビームに係合する掘削具とを具備していて；そのケーシングが、フィードビームに係合されていて、フィードビームと共にクレードルに対して移動可能に配置されていて；該ケーシングの端部に備えられた開口部が掘削面に面しており、少なくとも掘削用ロッドがその開口部を貫通して伸長している。
【０００３】
従来技術
一般に、岩石を掘削するための削岩掘削装置は種々の方向に移動可能なブームを備えた移動可能なキャリアを具備している。そのブームの自由端部は実際に掘削するための装置を有していて、岩石を掘削する削岩機並びに附属装置及び補助装置を含んでいる。ブームは例えば岩石補強用のロックボルト用装置（ｒｏｃｋ  ｂｏｌｔｉｎｇ  ｄｅｖｉｃｅ）、及び装入装置（ｃｈａｒｇｉｎｇ  ｅｑｕｉｐｍｅｎｔ）を担持していてもよい。公知の形態は、またブームの端部におけるクレードルを含んでいて、掘削具のフィードビームはクレードルに対して適切な移動機構により自身の長手軸方向に移動してもよい。
【０００４】
最近の実施の形態において、削岩掘削装置用の防音装置はなくて、掘削時に発生する騒音は掘削現場における周囲へ自由に広がっている。特に掘削が住居用又はビジネス用建屋付近で行なわれる場合、このことは問題となる。そのような場所において、作業時間が日中のある時間帯に制限されていて、当然のことであるが作業進捗の遅れをもたらす。例えば、日曜の夜間における掘削は、住居地域では問題外である。ある場合、騒音が周囲へ広がることを防止するために掘削現場を取り囲む可動性しゃ音塀が必要となる。掘削騒音は、また現場における作業においても不具合を引き起こす。削岩掘削装置の運転席は常時防音されているが、運転席の外側で行なわねばならない掘削現場作業がある。付け加えると、現場において往来し作業している他の人達がいて、彼等は騒音にさらされるかも知れない。
【０００５】
米国特許第３６６７５７１号は、掘削により発生する騒音のしゃ音用装置を開示している。その装置は削岩機の周囲に配置された数個の組み重ねたケーシングから構成されていて、最小のすなわち最も内側のケーシングがフィードビームに取り付けられていて、一連のケーシングが、種々のコムダンパー及び他の類似の装置で順番に係合されている。レールが最も外側のケーシングに取り付けられていて、アセンブリーはブーム端部に対して移動できる。しかしながらこの形態における問題は、掘削具及びフィードビームが、フレキシブルなサポート要素だけを貫通してブームに連結されていることである。この構造は、掘削具の方位決めに必要とされる精度を提供しないだけでなく、掘削装置に必要な支持もしない。開示された形式のケーシング構造は製作コストが高く、さらに掘削具の保守が困難である。
【０００６】
日本国公開特許５０７９２７１号及び５２９５９７８号は削岩機に関連して使用されるケーシングを開示している。両方の形態において、ケーシングはフィードビームに取り付けられていて、削岩機の走行長さ部分だけをおおっている。フィードビームのほとんどがケーシングの外部にあるので、問題は、掘削騒音がフィードビームのケーシングにおおわれていない部分を介して、周囲に洩れていくことである。
【０００７】
本発明の目的
本発明の目的は、公知の形態における欠点を回避した、削岩掘削装置に使用する、ケーシング及び応用装置を提供する。
【０００８】
本発明の概要
本発明におけるケーシングの特徴は以下のとうりであって、ケーシングは、掘削具全体及びフィードビームをほぼ完全に取り囲むように取り付けられるべく意図されていて、ケーシングの内面がフィードビーム及び掘削具から離間されるよう意図されており、ケーシングは、ケーシング及びクレードルがお互いに対して移動することを可能とする開口部を備えている。
【０００９】
本発明におけるケーシングの特徴は、また以下のとうりであって、ケーシングは掘削具とフィードビームとの全体をほぼ完全におおうように取り付けられていて、ケーシングの内面がフィードビーム及び掘削具から離間して配置されており、ケーシングは、ケーシング及びクレードルがお互いに対して移動することを可能とする開口部を備えている。
【００１０】
本発明における本質的な着想は以下のとうりであって、削岩掘削装置のブームに取り付けられた掘削具の周囲がケーシング構造で配置されていて、そのケーシング構造は掘削時に発生する騒音が掘削現場の周囲に広がることを防止している。ケーシングは掘削具及びフィードビームの両方をほぼ完全におおうべく配置されている。ケーシング下端部が開口部を備えていて、その開口部は掘削用ロッドが貫通して伸長することを可能にしている。本発明における本質は、また以下のとうりであって、ケーシングがフィードビームに取り付けられ支持されるべく配置されていて、そのフィードビームはブームの自由端部取り付けられたクレードルに対し移動可能に取り付けられている。本質的な点は、また以下のとうりであって、ケーシングが、ケーシングと掘削具との間、及びケーシングとフィードビームとの間に自由空間があるように取り付けられるべく意図されていて、それにより掘削時に発生する騒音はケーシングに容易に伝わらない。
【００１１】
本発明における第一の好適な実施の形態において本質的な着想は、クレードルも取り囲まれていることである。
本発明における第二の好適な実施の形態における本質的な着想は以下のとうりであって、ケーシングとクレードルとの間、又はケーシングとブーム端部との間で移動可能な開口部が、その開口部をシールするけれどケーシングの移動は可能とする騒音用カーテン（ｎｏｉｓｅ  ｃｕｒｔａｉｎ）を備えている。
本発明における第三の好適な実施の形態において本質的な着想は、騒音用カーテンがフレキシブルな剛毛又はフレキシブルな帯板で作られていることである。
本発明における第四の好適な実施の形態において本質的な着想は以下のとうりであって、ケーシングが所望される位置にハッチを備えていて、掘削状態又は掘削具の操作状態を観察し制御するために、そのハッチは遠隔操作で開閉されてもよい。
さらに、本発明における第五の実施の形態において本質的な着想は、ケーシングが自身の間にしゃ音材料を有する二つの組み重ねられた胴を具備していることである。
さらに、本発明における第六の実施の形態において本質的な着想は以下のとうりであって、ケーシング下端部、すなわち掘削面に面する端部がフレキシブル部分を備えていて、そのフレキシブル部分は、ケーシング下端部と掘削面との間の間隙を掘削時においてシールしている。
【００１２】
ケーシングで取り囲むことの利点は、掘削時に発生する騒音が簡単にしゃ音及び減音できることであって、それにより騒音はもはや周囲に対する問題を引き起こさない。このことは、時間帯とか曜日とかに制限されることなく、住居地域においてさえも自由に掘削作業を行なうことを可能にしている。従って、掘削具の使用度合を上げることができて作業は短時間で完了する。本発明における防音装置は、またもはや不快な騒音のないように作業環境を改善する。防音装置は、また作業における安全性を高めていて、作業現場で働く人達が種々の警報及び車両の接近を聞くことをより可能にしている。
【００１３】
ケーシングで取り囲むことのさらなる利点は、防音ばかりでなく、掘削具の機械的な保護に役立つことである。ケーシングが運転中及び積込み中の両方における泥及びほこりに対する保護をしていて、装置に生じる損傷を減少している。ケーシングが掘削具をきれいに保つことを容易にすると共に自身をきれいに保つことも簡単である。付け加えると、ケーシング内部の掘削具がきれいなので、保守及び補修はより容易に行うことができる。ケーシングで取り囲むことは、また掘削具を例えば湿度及び破壊のようなその他の外部的な影響に対し防護する。
【００１４】
ケーシングのさらなる利点は以下のとうりであって、掘削具の突然の故障、それにより砕片が周囲に飛散するかも知れるような場合においてさえも、周囲を防護し苛酷な災害を防止している。ケーシングは、また掘削具の可動部分に人がはさまれることを防止している。全体として、ケーシングで取り囲むことは作業における安全性を改善する重要な利点となる。
【００１５】
ケーシングにより提供されるさらなる利点は以下のとうりであって、ケーシングがブーム端部に取り付けられた装置の可視部分を構成するので、削岩掘削装置の外観を改善することができる。ケーシングは、非常に大きな力を受けないので、特に強度のある材料で作る必要はない。ケーシングは、掘削具を取り付け、支持するどのような役割もなくて、単に掘削具を取り囲む防音壁を構成するだけである。従って、ケーシングは取り付け、取りはずしに容易である。
【００１６】
さらなる利点は以下のとうりであって、ケーシングは防振ダンパーゴムブッシング（ｖｉｂｒａｔｉｏｎ−ｄａｍｐｅｎｅｄ  ｒｕｂｂｅｒ  ｂｕｓｈｉｎｇ）又は類似のダンパーにより係合されているので、フレームの騒音及び振動はケーシングに伝わらない。フィードビームがケーシングで取り囲まれている本発明における形態において、騒音がフィードビームを介して周囲に自由に広がる形態に比較して、はるかに良好な防音装置が提供される。
【００１７】
本発明が図面を用いてより詳細に説明される。
【００１８】
本発明の詳細な説明
図１は本発明におけるケーシングを備えた削岩掘削装置（ｒｏｃｋ  ｄｒｉｌｌｉｎｇ  ｒｉｇ）の極端に概略化した図を示す。削岩掘削装置１が、キャリア２と、キャリアに取り付けられていて様々な方向に移動可能なブーム（ｂｏｏｍ）３とを具備している。必要な掘削具（ｄｒｉｌｌｉｎｇ  ｅｑｕｉｐｍｅｎｔ）４が附属品と共にブーム３の自由端部に取り付けられる。通常の掘削具、すなわち削岩機及びロッドハンドラー（ｒｏｄ  ｈａｎｄｌｅｒ）に加えて、掘削具が種々のロックボルト用（ｒｏｃｋ  ｂｏｌｔｉｎｇ）装置、装入装置（ｃｈａｒｇｉｎｇ  ｅｑｕｉｐｍｅｎｔ）及びそれらの装置の位置決め（ｉｎｄｘｉｎｇ）用装置を含んでいてもよい。掘削具はフィードビーム（ｆｅｅｄ  ｂｅａｍ）１１に取り付けられていて、そのフィードビームにおいて削岩機が移動される。さらに、フィードビームは、またブーム端部に取り付けられたクレードル（ｃｒａｄｌｅ）１２に対して移動するべく配置されている。はっきりさせるために、掘削具と、フィードビームと、クレードルとの外形だけが図面に示されている。これに関連して、当業者においては公知であることから、削岩掘削装置の構造及び運転については説明しない。
【００１９】
本発明は以下に関するものであって、ブーム３の端部における掘削具４がケーシング５に取り囲まれていて、そのケーシングは掘削時に発生する騒音が周囲に広がることを防止している。軸方向断面図において概略的に示されているケーシング５は、その下端部を除いて、ほぼ完全な閉構造であって、掘削具及びフィードビームをおおうべく配置されている。ケーシング下端部は開口部を備えていて、掘削ロッド及び掘削に必要とされる他の装置が開口部を貫通して伸長されてもよい。掘削具により、掘削が開始されると、移動可能なキャリアは最初に掘削する面から適切な距離に移動し、続いてブーム端部における掘削具４が、ブーム３を移動させることにより掘削位置へ移動される。前述したように、ブーム３端部にクレードル１２があって、フィードビーム１１は取り付けられた掘削具４と共に、クレードル１２に対してフィードビーム１１の長手軸方向に移動する。
【００２０】
本発明におけるケーシングは、フィードビームに係合され支持されていて、フィードビームと共にクレードルに対し移動するべく配置されている。例示の実施の形態においてクレードルは部分的にケーシングの外部に達している。ケーシングは、またクレードルに対してケーシングの移動を可能にする開口部を備えている。その開口部が、好ましくはケーシングの移動を可能とすると共に、開口部をシールする騒音用カーテン（ｎｏｉｓｅ  ｃｕｒｔａｉｎ）を備えている。
【００２１】
ケーシング下端部は、好ましくはフレキシブル部分６を備えていて、そのフレキシブル部分が、ケーシング５下端部における掘削具４よりさらに伸長していて、掘削面７に対してケーシング下端部をシールしている。ケーシング５下端部におけるこの型式のフレキシブル部分６が例えば剛毛（ｂｒｉｓｔｌｅ）又はフレキシブルな帯板で作られていてもよくて、その剛毛又はフレキシブルな帯板は、でこぼこした掘削面に対して、押しつけかつほぼシールすることができて、さらに騒音が周囲に広がることを防止できる。フレキシブル部分は、また例えばケーシング下端部における騒音を遮断するために使用してもよい、伸縮自在の圧縮可能なチューブ（ｔｅｌｅｓｃｏｐｉｃａｌｌｙ  ｃｏｍｐｒｅｓｓｉｂｌｅ  ｔｕｂｅ）か又はその他の適切な装置であってもよい。ケーシング下端部におけるシールは、騒音ばかりでなく掘削ぼこりが周囲に広がることを防止している。付け加えて、この装置は掘削ぼこりをケーシング下端部から容易に取り出せるようになっていて、従ってほこりによって生ずる問題も同時に防止している。その一方でケーシングを加圧しフレキシブル部分を真空引きすることによって、ほこりが掘削装置へ接触することは回避されている。
【００２２】
図２は本発明による一つの形態におけるケーシングを極端に簡略化した概略図であって、軸方向から見た断面図を示している。ケーシング５の断面の形状は使用される掘削具４により選択されてもよい。掘削具４がフィードビーム１１に取り付けられていて、そのフィードビームはブーム３の端部に取り付けられたクレードル１２に対し軸方向に移動する。例示の形態は、ケーシング５がクレードルを囲んでいる前述の例示の型式とは異なっていて、ケーシングはブーム端部とクレードルとの間における部分用の開口部１４を備えている。この開口部１４はケーシングの移動を可能にしている。前述の例示に比較して、この場合開口部はより小さい。符号８はケーシング５における開口部１４をシールするための騒音用カーテンに使用される。剛毛又はゴム帯板若しくはプラスチック帯板のフレキシブルな構造物がこの騒音用カーテンとして作用されてもよい。例示は、またケーシングをフィードビームに支持するブラケット１３を示していて、そのブラケットは騒音用カーテンと離間している。支持用ブラケットは、ゴム又は他の類似の材料で実用的に作られたダンパーを含んでいて、フィードビームからケーシングに伝わる、振動及び騒音を防止している。
【００２３】
ケーシングが、掘削具とフィードビームとクレードルとを取り囲んで配置されていて、騒音はこれらの構造物から周囲へは伝わらない。付け加えると、ケーシングは、摺動面と他の移動可能なフィードビーム構成要素とクレードルとを保護している。
【００２４】
図３は本発明におけるケーシングの側面図を示している。ケーシング５の下端部は、例えばフレキシブルな、ラバー帯板又はプラスチック帯板で作られたフレキシブル部分６を備えている。フレキシブル部分６は、また剛毛で作られてもよい。剛毛又はその他のフレキシブル部品で作られた構造物が、また騒音用カーテン８として使われてもよくて、その騒音用カーテンは、開口部１４を閉さぐと共に、掘削具及び騒音用カーテンの周囲に配置されたケーシングが騒音用カーテンに取り付けられた、ブーム及びクレードルに対して移動することを可能にしている。掘削運転状態を観察するために、第一ハッチ９を備えていてもよくて、その第一ハッチは例えば、削岩掘削装置の運転席から遠隔操作で実用的に開かれてもよい。この種のハッチは、カラリング（ｃｏｌｌａｒｉｎｇ）及び掘削孔入口周囲部分を観察することを可能にしている。
【００２５】
ケーシングが、また第二ハッチ１０を備えていてもよくて、その第二ハッチは、例えばロッドを変更する間又は他の理由によって掘削運転状態の観察が必要とされる場合開かれてもよい。ハッチ９及び１０がケーシングに実質的に蝶番で取り付けられていて、それらのハッチは圧力媒体により又は電気的に、作動されるアクチュエータを用いて運転席から開閉されてもよい。例えばハッチの自動化運転は可能であって、ハッチは掘削具の作業サイクルに従って開かれる。ハッチ、そしてケーシングの他のどの部分もが、透明な材料で作られていてもよくて、そのことは装置の運転状態の観察をより容易にしている。より多くのハッチがケーシングの所望される部分に備えられてもよいことは明らかである。
【００２６】
本発明におけるケーシングが、好ましくは適切なプラスティックで作られていてもよくて、又は種々の複合材料構造物がケーシングに使用されてもよい。このようにして、ケーシングは軽量になると共に強度も十分である。ケーシング構造は、掘削時に有害な振動を起こさないように、十分に剛性を有するか、又は適切に支持されていなければならない。材料は、ケーシングがたいしたことのない衝撃により損傷を受けないような耐衝撃性プラスチックであってもよい。
【００２７】
どのような確立された技術がケーシングの製作に使用されてもよい。ケーシングは一つの主要部品で作られてもよくて、代りに数点の小さな部品で組み立てられてもよい。前者の型式のケーシングは、例えば単一ユニットとしての遠心鋳造であってもよくて、又は複合材料構造を用いる場合は、巻き付けにより製作されてもよい。一方ケーシングは、また深絞りした部品を例えば溶接により接合することにより作られてもよい。ケーシングのより小さくてより精密な部品は射出成形されてもよくて、続いて例えば溶接又はリベット又はねじの使用又は他の適切な手段により、ケーシングの基本構造として一体化されてもよい。一つの可能性は、管状のケーシングフレームを作り、それに端部部分と、掘削具の構造及び運転に必要とされるケーシングの他の部品とを取り付けることである。さらに、ケーシングを構成する部品は、製作前又は製作中に適切な固定された、接続部品及び係合部品、すなわち差込み部品を備えている。全体として、プラスチック又は他の類似の材料のケーシングの製作は、比較的簡単で迅速で手ごろな価格である。
【００２８】
図４ａは一つの可能なケーシング胴構造の概略断面図を示している。外部ケーシング胴５ａの内面が、ポリウレタンのような防音特性のすぐれた材料でおおわれていて、その材料は所望の厚さの層５ｂを形成すべく吹き付けられるか又は鋳込まれていてもよい。ケーシング全体の内面がこの種の防音層５ｂでおおわれてもよくて、又はその層は騒音が発生されるか若しくは騒音が非常に大きい場所だけに使用されてもよい。
【００２９】
さらに、ケーシングは図４ａに示される胴構造で構成されていてもよくて、しゃ音材料の中間層５ｄが内部胴と外部胴５ａ及び５ｃとの間に備えられている。この形式の多層構造はすぐれたしゃ音特性を有していて、さらに重量に対してすぐれた剛性を有している。
【００３０】
以下のことはまた可能であって、ケーシング、少なくとも掘削ヘッド側の部分は、掘削具に付随した装入装置に障害が発生し、装入が早まって行なわれた場合、又は削岩機が破損して、その一部分が飛散した場合における飛散砕片に対して少なくとも適切な防護装置を備えるように構成する。
【００３１】
図面及びその説明は本発明における着想を例示するだけのものである。詳細において、本発明は特許請求の範囲内において変更されてもよい。従って、ケーシングの材料はプラスチックおよび種々の複合材料に制限されることはなくて、目的に合った適切な他のどのような材料で作ることも可能である。断面は図に示されたものと同一である必要はなくて、必要に応じて変更されてもよい。ケーシングは、ケーシング全体又はその必要とされる部分が、例えば保守及び補修のために、掘削具の周囲から容易に取りはずせるように構成されてもよい。
【図面の簡単な説明】
【図１】  図１は本発明による防音ケーシングを備えた削岩掘削装置の概略側面図を示す。
【図２】  図２は本発明による装置を断面において軸方向に見た概略図を示す。
【図３】  図３は本発明による一つのケーシングの概略側面図を示していて、ケーシングは削岩掘削装置からはずされている。
【図４ａ】  図４ａは本発明によるケーシングにおける可能な構造の一部の概略断面図を示す。
【図４ｂ】  図４ｂは本発明によるケーシングにおける可能な構造の一部の概略断面図を示す。
【図１】
0004105394.tif 000002
【図２】
0004105394.tif 000003
【図３】
0004105394.tif 000004
【図４ａ】
0004105394.tif 000005
【図４ｂ】
0004105394.tif 000006